【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
第１回転体と、
前記第１回転体に当接して、トナー像が形成された記録材を挟持搬送しつつ、記録材に熱及び圧力を加えてトナー像を定着させるニップ部を形成する第２回転体と、
空気を送風する送風機構と、
前記送風機構により送風される空気を、前記第１回転体の長手方向端部に向けて案内するダクトと、
空気が吹き出す前記ダクトの送風口を開閉する開閉機構と、を備え、
前記開閉機構は、互いに協働して前記送風口を閉じる複数のシャッタ部材を有する、
ことを特徴とする画像加熱装置。
【請求項２】
前記複数のシャッタ部材は、第１のシャッタ部材と第２のシャッタ部材とを有し、
前記第１のシャッタ部材と前記第２のシャッタ部材は、前記送風口が開放されるときに、少なくとも互いの一部が重なり合うように位置する、
ことを特徴とする請求項１に記載の画像加熱装置。
【請求項３】
前記第１のシャッタ部材は、前記送風口が閉じられているときに前記第１回転体の長手方向中央部側に位置し、
前記第２のシャッタ部材は、前記送風口が閉じられているときに前記第１回転体の長手方向端部側に位置する、
ことを特徴とする請求項２に記載の画像加熱装置。
【請求項４】
前記開閉機構は、前記送風口を開放する場合に、前記第２のシャッタ部材を前記第１のシャッタ部材よりも前記第１回転体に近い位置で移動させる、
ことを特徴とする請求項３に記載の画像加熱装置。
【請求項５】
前記複数のシャッタ部材を前記送風口を開閉するように移動させる駆動モータをさらに備える、
ことを特徴とする請求項１乃至４のいずれか１項に記載の画像加熱装置。
【請求項６】
前記送風機構は、前記第１回転体の長手方向中央部側に配置された第１のファンと、前記第１回転体の長手方向端部側に配置された第２のファンとを有する、
ことを特徴とする請求項１乃至５のいずれか１項に記載の画像加熱装置。
【請求項７】
第１回転体と、
前記第１回転体に当接して、トナー像が形成された記録材を挟持搬送しつつ、記録材に熱及び圧力を加えてトナー像を定着させるニップ部を形成する第２回転体と、
空気を送風する送風機構と、
前記送風機構により送風されたる空気を、前記第１回転体の長手方向一端部に向けて案内する第１ダクトと、
空気が吹き出す前記第１ダクトの第１送風口を開閉する第１開閉機構と、
前記送風機構により送風される空気を、前記第１回転体の長手方向他端部に向けて案内する第２ダクトと、
空気が吹き出す前記第２ダクトの第２送風口を開閉する第２開閉機構と、を備え、
前記第１開閉機構は、互いに協働して前記第１送風口を閉じる複数のシャッタ部材を有し、
前記第２開閉機構は、互いに協働して前記第２送風口を閉じる複数のシャッタ部材を有する、
ことを特徴とする画像加熱装置。
【請求項８】
前記第１開閉機構における前記複数のシャッタ部材は、第１のシャッタ部材と第２のシャッタ部材とを有し、
前記第２開閉機構における前記複数のシャッタ部材は、第３のシャッタ部材と第４のシャッタ部材とを有し、
前記第１のシャッタ部材と前記第２のシャッタ部材は、前記第１送風口が開放されるときに、少なくとも互いの一部が重なり合うように位置し、
前記第３のシャッタ部材と前記第４のシャッタ部材は、前記第２送風口が開放されるときに、少なくとも互いの一部が重なり合うように位置する、
ことを特徴とする請求項７に記載の画像加熱装置。
【請求項９】
前記第１のシャッタ部材は、前記第１送風口が閉じられているときに前記第１回転体の長手方向中央部側に位置し、
前記第２のシャッタ部材は、前記第１送風口が閉じられているときに前記第１回転体の長手方向端部側に位置し、
前記第３のシャッタ部材は、前記第２送風口が閉じられているときに前記第１回転体の長手方向中央部側に位置し、
前記第４のシャッタ部材は、前記第２送風口が閉じられているときに前記第１回転体の長手方向端部側に位置する、
ことを特徴とする請求項８に記載の画像加熱装置。
【請求項１０】
前記第１開閉機構は、前記第１送風口を開放する場合に、前記第２のシャッタ部材を前記第１のシャッタ部材よりも前記第１回転体に近い位置で移動させ、
前記第２開閉機構は、前記第２送風口を開放する場合に、前記第４のシャッタ部材を前記第３のシャッタ部材よりも前記第１回転体に近い位置で移動させる、
ことを特徴とする請求項９に記載の画像加熱装置。
【請求項１１】
前記第１開閉機構における前記複数のシャッタ部材を前記第１送風口を開閉するように移動させると共に、前記第２開閉機構における前記複数のシャッタ部材を前記第２送風口を開閉するように移動させる駆動モータをさらに備える、
ことを特徴とする請求項７乃至１０のいずれか１項に記載の画像加熱装置。
【請求項１２】
前記送風機構は、
前記第１回転体の長手方向中央部側に配置され、前記第１回転体へ空気を吹き出す第１のファンと、
前記第１回転体の長手方向端部側に配置され、前記第１ダクトに向けて空気を吹き出す第２のファンと、
前記第１回転体の長手方向中央部側に配置され、前記第２ダクトに向けて空気を吹き出す第３のファンと、
前記第１回転体の長手方向端部側に配置され、前記第２ダクトに向けて空気を吹き出す第４のファンと、を有する、
ことを特徴とする請求項７乃至１１のいずれか１項に記載の画像加熱装置。
【手続補正２】
【補正対象書類名】明細書
【補正対象項目名】発明の名称
【補正方法】変更
【補正の内容】
【発明の名称】画像加熱装置
【手続補正３】
【補正対象書類名】明細書
【補正対象項目名】０００１
【補正方法】変更
【補正の内容】
【０００１】
本発明は、複写機、プリンタ、ＦＡＸ等の画像形成装置に搭載される、記録材上に形成されたトナー画像を加熱定着する定着装置などに用いて好適な画像加熱装置に関する。
【手続補正４】
【補正対象書類名】明細書
【補正対象項目名】００１３
【補正方法】変更
【補正の内容】
【００１３】
本発明の一実施形態に係る画像加熱装置は、第１回転体と、前記第１回転体に当接して、トナー像が形成された記録材を挟持搬送しつつ、記録材に熱及び圧力を加えてトナー像を定着させるニップ部を形成する第２回転体と、空気を送風する送風機構と、前記送風機構により送風される空気を、前記第１回転体の長手方向端部に向けて案内するダクトと、空気が吹き出す前記ダクトの送風口を開閉する開閉機構と、を備え、前記開閉機構は、互いに協働して前記送風口を閉じる複数のシャッタ部材を有する、ことを特徴とする。
また、本発明の一実施形態に係る画像加熱装置は、第１回転体と、前記第１回転体に当接して、トナー像が形成された記録材を挟持搬送しつつ、記録材に熱及び圧力を加えてトナー像を定着させるニップ部を形成する第２回転体と、空気を送風する送風機構と、前記送風機構により送風されたる空気を、前記第１回転体の長手方向一端部に向けて案内する第１ダクトと、空気が吹き出す前記第１ダクトの第１送風口を開閉する第１開閉機構と、前記送風機構により送風される空気を、前記第１回転体の長手方向他端部に向けて案内する第２ダクトと、空気が吹き出す前記第２ダクトの第２送風口を開閉する第２開閉機構と、を備え、前記第１開閉機構は、互いに協働して前記第１送風口を閉じる複数のシャッタ部材を有し、前記第２開閉機構は、互いに協働して前記第２送風口を閉じる複数のシャッタ部材を有する、ことを特徴とする。